(57)【要約】【課題】複数の変調波信号における差周波、変調帯域幅の周波数や偶高調波に起因する歪み成分の発生を抑えることができるようにする。【解決手段】制御回路１６が、信号情報出力部３から出力された信号情報が示す複数の変調波信号の搬送周波数及び変調帯域幅にしたがって、複数の変調波信号における差周波、変調帯域幅の周波数及び偶高調波に対するインピーダンスの中で、少なくとも１以上のインピーダンスを制御する。これにより、複数の変調波信号における差周波、変調帯域幅の周波数や偶高調波に起因する歪み成分の発生を抑えることができる。【選択図】図１
2014204229.tif 000002
【特許請求の範囲】
【請求項１】
中心周波数が異なる複数の信号を増幅する増幅器と、
上記増幅器で発生する信号の歪みを補償する歪み補償回路と、
上記増幅器により増幅される複数の信号の搬送周波数及び変調帯域幅にしたがって、上記複数の信号における差周波、変調帯域幅の周波数及び偶高調波に対するインピーダンスの中で、少なくとも１以上のインピーダンスを制御するインピーダンス制御手段と
を備えた増幅器モジュール。
【請求項２】
インピーダンス制御手段は、
増幅器の入力側に接続され、複数の信号における差周波、変調帯域幅の周波数及び偶高調波に対するインピーダンスを調整する第１のインピーダンス調整回路と、
上記増幅器の出力側に接続され、上記複数の信号における差周波、変調帯域幅の周波数及び偶高調波に対するインピーダンスを調整する第２のインピーダンス調整回路と、
上記複数の信号の搬送周波数及び変調帯域幅から、上記複数の信号における差周波、変調帯域幅の周波数及び偶高調波に起因して発生する歪み成分の低減に寄与する適正インピーダンスをそれぞれ特定し、上記複数の信号における差周波、変調帯域幅の周波数及び偶高調波に対するインピーダンスが、特定した各々の適正インピーダンスと一致するように上記第１及び第２のインピーダンス調整回路を制御する制御回路と
から構成されていることを特徴とする請求項１記載の増幅器モジュール。
【請求項３】
第２のインピーダンス調整回路から出力された複数の信号の歪みを検出する歪み検出回路を備え、
制御回路は、上記歪み検出回路により検出された歪みが低減するように、第１及び第２のインピーダンス調整回路を制御する
ことを特徴とする請求項２記載の増幅器モジュール。
【請求項４】
中心周波数が異なる複数の信号を出力するとともに、上記複数の信号の搬送周波数及び変調帯域幅を示す信号情報を出力する信号生成手段と、
上記信号生成手段から出力された複数の信号を増幅する増幅器モジュールとを備え、
上記増幅器モジュールは、
上記信号生成手段から出力された複数の信号を増幅する増幅器と、
上記増幅器で発生する信号の歪みを補償する歪み補償回路と、
上記信号生成手段から出力された信号情報が示す複数の信号の搬送周波数及び変調帯域幅にしたがって、上記複数の信号における差周波、変調帯域幅の周波数及び偶高調波に対するインピーダンスの中で、少なくとも１以上のインピーダンスを制御するインピーダンス制御手段と
を備えていることを特徴とする信号送信機。
【請求項５】
中心周波数が異なる複数の信号を出力するとともに、上記複数の信号の搬送周波数及び変調帯域幅を示す信号情報を出力する信号生成手段と、
上記信号生成手段から出力された複数の信号を増幅する増幅器モジュールとを備え、
上記増幅器モジュールは、
上記信号生成手段から出力された複数の信号を増幅する増幅器と、
上記信号生成手段から出力された信号情報が示す複数の信号の搬送周波数及び変調帯域幅にしたがって、上記複数の信号における差周波、変調帯域幅の周波数及び偶高調波に対するインピーダンスの中で、少なくとも１以上のインピーダンスを制御するインピーダンス制御手段とを備え、
上記信号生成手段は、
上記増幅器で発生する信号の歪みを補償する歪み補償回路を備えている
ことを特徴とする信号送信機。
【請求項６】
中心周波数が異なる複数の信号を出力する信号生成手段と、
上記信号生成手段から出力された複数の信号を増幅する増幅器モジュールとを備え、
上記増幅器モジュールは、
上記信号生成手段から出力された複数の信号を増幅する増幅器と、
上記増幅器で発生する信号の歪みを補償する歪み補償回路と、
上記信号生成手段から出力された複数の信号の搬送周波数及び変調帯域幅を検出する信号情報検出回路と、
上記信号情報検出回路により検出された複数の信号の搬送周波数及び変調帯域幅にしたがって、上記複数の信号における差周波、変調帯域幅の周波数及び偶高調波に対するインピーダンスの中で、少なくとも１以上のインピーダンスを制御するインピーダンス制御手段と
を備えていることを特徴とする信号送信機。
【請求項７】
増幅器モジュールのインピーダンス制御手段は、
増幅器の入力側に接続され、複数の信号における差周波、変調帯域幅の周波数及び偶高調波に対するインピーダンスを調整する第１のインピーダンス調整回路と、
上記増幅器の出力側に接続され、上記複数の信号における差周波、変調帯域幅の周波数及び偶高調波に対するインピーダンスを調整する第２のインピーダンス調整回路と、
上記複数の信号の搬送周波数及び変調帯域幅から、上記複数の信号における差周波、変調帯域幅の周波数及び偶高調波に起因して発生する歪み成分の低減に寄与する適正インピーダンスをそれぞれ特定し、上記複数の信号における差周波、変調帯域幅の周波数及び偶高調波に対するインピーダンスが、特定した各々の適正インピーダンスと一致するように上記第１及び第２のインピーダンス調整回路を制御する制御回路と
から構成されていることを特徴とする請求項４から請求項６のうちのいずれか１項記載の信号送信機。
【請求項８】
第２のインピーダンス調整回路から出力された複数の信号の歪みを検出する歪み検出回路を備え、
制御回路は、上記歪み検出回路により検出された歪みが低減するように、第１及び第２のインピーダンス調整回路を制御する
ことを特徴とする請求項７記載の信号送信機。
【発明の詳細な説明】
【技術分野】
【０００１】
この発明は、複数の変調波信号を増幅する増幅器における非線形性を補償する増幅器モジュール及び信号送信機に関するものである。
【背景技術】
【０００２】
通信では線形な信号伝送が求められるが、通信に用いられる一般的な増幅器では、信号を増幅する際に、信号の波形に歪みを生じさせてしまう非線形性があることが知られている。
そのため、増幅器で発生する信号の歪みを補償する歪み補償回路が用いられる。
【０００３】
歪み補償回路を大まかに分類すると、負帰還型、フィードフォワード型、プリディストーション型の３つに分けられる。
負帰還型は、主に狭帯域の変調波を増幅する増幅器に用いられ、フィードフォワード型とプリディストーション型は、基地局用増幅器などに用いられる。
プリディストーション型は、ディジタル信号処理を用いたディジタル・プリディストーションとしてよく用いられている。
【０００４】
近年では、１つの増幅器を用いて、中心周波数が異なる複数の変調波信号を共通に増幅する構成がよく用いられている。
複数の変調波信号に対応する歪み補償回路としては、周波数毎に変調波信号を分離して、各変調波信号における非線形性の補償を行うディジタル・プリディストーションの構成がある。また、周波数が異なる複数の変調波信号が合成された合成信号における非線形性の補償を行うディジタル・プリディストーションの構成がある。
【０００５】
以下、歪みの基本原理について説明する。
図８は一般的な増幅器に対してＣＷ２波が入力された際の非線形領域での信号スペクトルを示す説明図である。
図８の例では、０次の項としてＤＣが生じ、１次の項として基本波ω1，ω2が生じている様子を示している。
また、２次の項として２次高調波２ω1，ω1＋ω2，２ω2と差周波ω2−ω1とが生じ、３次の項として３次高調波３ω1，２ω1＋ω2，ω1＋２ω2，３ω2とＩＭＤ３である２ω1−ω2，−ω1＋２ω2とが生じている様子を示している。図８では、説明の簡単化のため、４次以上の項は記載していない。
【０００６】
例えば、増幅器が、図９に示すようなＡＭ−ＡＭ特性及びＡＭ−ＰＭ特性を有している場合、基本波ω1，ω2の近傍に生じる歪みについては、奇数次の項が影響することが知られている。
よって、一般的には、ＡＭ−ＡＭ特性及びＡＭ−ＰＭ特性を有している増幅器が実装されている場合、奇数次の項に対して歪みを補償する歪み補償回路が実装される。
しかし、増幅器のＡＭ−ＡＭ特性及びＡＭ−ＰＭ特性は、周波数特性を有しているため偶数次の項が存在しており、偶数次の項に依存する歪みが発生する。また、発生する歪みは、偶数次の項に関係する周波数のインピーダンスによって大きく変化する。
【０００７】
単段の増幅器に関しては影響がないことが多いが、多段増幅器や歪み補償回路を含む増幅器モジュールでは、（２ω1−ω2）＞（−ω1＋２ω2）、もしくは、（２ω1−ω2）＜（−ω1＋２ω2）となることがあり、偶数次の項に起因する問題が生じる。
この傾向は、増幅器の非線形性が大きい場合や、離調周波数が大きい場合に、より顕著になる。
【０００８】
増幅器を用いて、変調波信号を増幅する構成では、一般的に、複数の変調波信号における差周波、変調帯域幅の周波数及び偶高調波のインピーダンスを固定する構成が用いられる。
以下の特許文献１には、搬送波周波数変化回路又は増幅器のバイアスを変化させて、歪み成分の周波数分布が搬送波周波数に関して、対称又は非対称になるように制御している増幅器モジュールが開示されている。
以下の特許文献２には、トランジスタの入力側と出力側に、第１の変調帯域幅の周波数と第２の変調帯域幅の周波数を短絡する増幅器モジュールが開示されている。
以下の特許文献３には、多数のキャリア周波数が含まれる変調帯域幅を持つ信号用に変調帯域幅の周波数を短絡する増幅器モジュールが開示されている。
【先行技術文献】
【特許文献】
【０００９】
【特許文献１】特開２００３−２３３２５号公報（段落番号［００１４］）
【特許文献２】特開２００２−１７１１３８号公報（段落番号［００２９］）
【特許文献３】特開平１０−２３３６３８号公報（段落番号［０００７］）
【発明の概要】
【発明が解決しようとする課題】
【００１０】
従来の増幅器モジュールは以上のように構成されているので、キャリアアグリケーションのように中心周波数が異なる複数の変調波信号を同時に送信する場合でも、複数の変調波信号における差周波、変調帯域幅の周波数及び偶高調波に対するインピーダンスが制御されず、それらのインピーダンスが固定されている。そのため、複数の変調波信号における差周波、変調帯域幅の周波数や偶高調波に対するインピーダンスを最適に制御することができず、複数の変調波信号における差周波、変調帯域幅の周波数や偶高調波に起因する歪み成分が生じてしまう課題があった。
【００１１】
この発明は上記のような課題を解決するためになされたもので、複数の変調波信号における差周波、変調帯域幅の周波数や偶高調波に起因する歪み成分の発生を抑えることができる増幅器モジュール及び信号送信機を得ることを目的とする。
【課題を解決するための手段】
【００１２】
この発明に係る増幅器モジュールは、中心周波数が異なる複数の信号を増幅する増幅器と、増幅器で発生する信号の歪みを補償する歪み補償回路とを備え、インピーダンス制御手段が、増幅器により増幅される複数の信号の搬送周波数及び変調帯域幅にしたがって、複数の信号における差周波、変調帯域幅の周波数及び偶高調波に対するインピーダンスの中で、少なくとも１以上のインピーダンスを制御するようにしたものである。
【発明の効果】
【００１３】
この発明によれば、インピーダンス制御手段が、増幅器により増幅される複数の信号の搬送周波数及び変調帯域幅にしたがって、複数の信号における差周波、変調帯域幅の周波数及び偶高調波に対するインピーダンスの中で、少なくとも１以上のインピーダンスを制御するように構成したので、複数の信号における差周波、変調帯域幅の周波数や偶高調波に起因する歪み成分の発生を抑えることができる効果がある。
【図面の簡単な説明】
【００１４】
【図１】この発明の実施の形態１による増幅器モジュールを実装している信号送信機を示す構成図である。
【図２】この発明の実施の形態１による信号送信機の処理内容を示すフローチャートである。
【図３】一般的な広帯域多段増幅器の歪み特性を示す説明図である。
【図４】インピーダンス調整回路１３，１５の有無による歪み特性の違いを示す説明図である。
【図５】この発明の実施の形態２による増幅器モジュールを実装している信号送信機を示す構成図である。
【図６】この発明の実施の形態３による増幅器モジュールを実装している信号送信機を示す構成図である。
【図７】この発明の実施の形態４による増幅器モジュールを実装している信号送信機を示す構成図である。
【図８】一般的な増幅器に対してＣＷ２波が入力された際の非線形領域での信号スペクトルを示す説明図である。
【図９】増幅器のＡＭ−ＡＭ特性及びＡＭ−ＰＭ特性を示す説明図である。
【発明を実施するための形態】
【００１５】
実施の形態１．
図１はこの発明の実施の形態１による増幅器モジュールを実装している信号送信機を示す構成図である。
図１において、信号生成部１は信号発生部２、信号情報出力部３及び信号出力部４から構成されており、中心周波数が異なる複数の変調波信号を出力するとともに、複数の変調波信号の搬送周波数及び変調帯域幅を示す信号情報を出力する処理を実施する。なお、信号生成部１は信号生成手段を構成している。
【００１６】
信号生成部１の信号発生部２は中心周波数が異なる複数の変調波信号を発生する信号源である。
信号情報出力部３は増幅器モジュール１０と接続されており、信号発生部２から発生される複数の変調波信号の信号数ｎ、複数の変調波信号の搬送周波数ｆ及び変調帯域幅ｗを示す信号情報を増幅器モジュール１０に出力する処理を実施する。
信号出力部４は増幅器モジュール１０と接続されており、信号発生部２から発生された複数の変調波信号を増幅器モジュール１０に出力する処理を実施する。
【００１７】
増幅器モジュール１０は信号生成部１から出力された複数の変調波信号を増幅する増幅器を備えているモジュールである。
歪み補償回路１１は例えばアナログプリディストーションで構成されており、信号生成部１から出力された複数の変調波信号がドライバ増幅器１２、インピーダンス調整回路１３、高出力増幅器１４及びインピーダンス調整回路１５を通過する際に発生する歪みを打ち消す予歪みを発生することで、通過する際に発生する複数の変調波信号の歪みを補償する回路である。
なお、歪み補償回路１１から発生される予歪みは、予め、ドライバ増幅器１２と高出力増幅器１４が組み合わせれた特性を考慮して設定されており、主にドライバ増幅器１２及び高出力増幅器１４から発生する奇数次の項の歪みを補償する。
【００１８】
ドライバ増幅器１２は高出力増幅器１４が動作するレベルまで、複数の変調波信号を増幅する。
インピーダンス調整回路１３は高出力増幅器１４の入力側に接続されており、制御回路１６の制御の下、複数の変調波信号における差周波、変調帯域幅の周波数及び偶高調波に対するインピーダンスの中で、少なくとも１以上のインピーダンスを調整する第１のインピーダンス調整回路である。
高出力増幅器１４は例えばトランジスタなどから構成されており、複数の変調波信号を増幅する。
インピーダンス調整回路１５は高出力増幅器１４の出力側に接続されており、制御回路１６の制御の下、複数の変調波信号における差周波、変調帯域幅の周波数及び偶高調波に対するインピーダンスの中で、少なくとも１以上のインピーダンスを調整する第２のインピーダンス調整回路である。
【００１９】
制御回路１６はメモリ１７及び制御情報決定部１８から構成されており、信号情報出力部３から出力された信号情報から、複数の変調波信号における差周波、変調帯域幅の周波数及び偶高調波に起因して発生する歪み成分の低減に寄与する適正インピーダンスをそれぞれ特定し、複数の変調波信号における差周波、変調帯域幅の周波数及び偶高調波に対するインピーダンスが、特定した各々の適正インピーダンスと一致するようにインピーダンス調整回路１３，１５を制御する回路である。
なお、インピーダンス調整回路１３，１５及び制御回路１６からインピーダンス制御手段が構成されている。
【００２０】
制御回路１６のメモリ１７は変調波信号の搬送周波数ｆと変調帯域幅ｗの組み合わせ毎に、適正インピーダンスを得るための制御情報（差周波に対するインピーダンスを適正インピーダンスにするための制御情報ａ、変調帯域幅の周波数に対するインピーダンスを適正インピーダンスにするための制御情報ｂ、偶高調波に対するインピーダンスを適正インピーダンスにするための制御情報ｃ）を格納している。
制御回路１６の制御情報決定部１８は信号情報出力部３から信号情報を受け取ると、メモリ１７に格納されている複数の制御情報の中から、その信号情報が示す搬送周波数ｆ及び変調帯域幅ｗの組み合わせに対応する制御情報を取得し、その制御情報にしたがってインピーダンス調整回路１３，１５を制御する回路である。
【００２１】
次に動作について説明する。
図２はこの発明の実施の形態１による信号送信機の処理内容を示すフローチャートである。
まず、信号生成部１の信号発生部２は、中心周波数が異なる複数の変調波信号を発生する（ステップＳＴ１）。
ここでは、説明の簡単化のため、２つの変調波信号を発生するものとして説明する。
【００２２】
信号生成部１の信号情報出力部３は、信号発生部２から発生される複数の変調波信号の信号数ｎ、複数の変調波信号の搬送周波数ｆ及び変調帯域幅ｗを示す信号情報を増幅器モジュール１０に出力する（ステップＳＴ２）。
この実施の形態１では、信号数ｎ＝２であるため、２つの変調波信号の搬送周波数としてｆ１，ｆ２、２つの変調波信号の変調帯域幅としてｗ１，ｗ２を示す信号情報が増幅器モジュール１０に出力される。
なお、信号情報は、信号数ｎ、搬送周波数ｆ及び変調帯域幅ｗを示す情報に限るものではなく、他の情報を含んでいてもよい。
【００２３】
信号生成部１の信号発生部２から２つの変調波信号が発生されて、２つの変調波信号が増幅器モジュール１０に出力される場合、詳細は後述するが、ドライバ増幅器１２と高出力増幅器１４によって２つの変調波信号が増幅され、その際に信号の歪みが発生する。
ここで、図３は一般的な広帯域多段増幅器の歪み特性を示す説明図である。
図３の例では、１次の項である基本波ω1，ω2の差周波（ω2−ω1）は５００ＭＨｚであり、Δは１００ｋＨｚである。
図３（ａ）は基本波ω1における１ＭＨｚ離調でのスペクトラムを示し、図３（ｂ）は基本波ω2における１ＭＨｚ離調でのスペクトラムを示し、図３（ｃ）は３次の項であるＩＭＤ３＿Ｈ１，ＩＭＤ３＿Ｌ１，ＩＭＤ３＿Ｈ２，ＩＭＤ３＿Ｌ２の測定結果を示している。
この場合、基本波ω1，ω2のいずれにおいても、ＩＭＤ３の下側の周波数ＩＭＤ３＿Ｌ１（または、ＩＭＤ３＿Ｌ２）と、上側の周波数ＩＭＤ３＿Ｈ１（または、ＩＭＤ３＿Ｈ２）とはほぼ同じ値を示している。
【００２４】
図３（ｄ）は基本波ω1，ω2における５００ＭＨｚ離調でのスペクトラムを示し、図３（ｅ）は３次の項であるＩＭＤ３＿Ｈ３，ＩＭＤ３＿Ｌ３の測定結果を示している。
この場合、ＩＭＤ３の下側の周波数ＩＭＤ３＿Ｌ３と、上側の周波数ＩＭＤ３＿Ｈ３とは大きさが異なっている。
周波数ＩＭＤ３＿Ｌ３＞周波数ＩＭＤ３＿Ｈ３であり、歪み特性としてはＩＭＤ３＿Ｌ３の値となり、歪みが劣化している。
これは、高出力増幅器１４の周波数特性に起因する偶数次の項の歪みであるため、偶数次の項の値を減らす必要がある。
そこで、この実施の形態１では、偶数次の項に対応する周波数のインピーダンスを最適な値に調整することで、偶数次の項の歪みを低減するようにしている（詳細は後述する）。
【００２５】
また、図３（ｅ）は最適なインピーダンスに調整した場合のＩＭＤ３の特性を示しており、ＩＭＤ３＿Ｌ３より値が良くなっていることが分かる。ＩＭＤ３＿Ｈ３より悪い値があるのは、偶数次の項の歪みが奇数次に起因する歪みと打ち消しあって、下がっていた分が元に戻ったからである。
また、低出力領域では、偶数次の項の歪みが起因してフロアの歪みレベルを上げていたため、偶数次の項に対応する周波数のインピーダンスを最適な値にすることで、フロアの歪みを低減している。
【００２６】
制御回路１６の制御情報決定部１８は、信号情報出力部３から信号情報を受け取ると、メモリ１７に格納されている複数の制御情報の中から、その信号情報が示す搬送周波数ｆ１，ｆ２及び変調帯域幅ｗ１，ｗ２の組み合わせに対応する制御情報を取得する（ステップＳＴ３）。
即ち、制御回路１６のメモリ１７には、高出力増幅器１４の入力側において、２つの変調波信号における差周波、変調帯域幅の周波数及び偶高調波に起因して発生する歪み成分（基本波成分、３次歪み成分、５次歪み成分、・・・、（２Ｎ＋１）次歪み成分）の低減に寄与する適正インピーダンスを得るための制御情報が、搬送周波数ｆ１，ｆ２及び変調帯域幅ｗ１，ｗ２の組み合わせ別に記憶されているので、複数の制御情報の中から、信号情報が示す搬送周波数ｆ１，ｆ２及び変調帯域幅ｗ１，ｗ２の組み合わせに対応する制御情報を取得する。以下、高出力増幅器１４の入力側に接続されているインピーダンス調整回路１３を制御するための制御情報を制御情報（１）と称する。
【００２７】
同様に、制御回路１６のメモリ１７には、高出力増幅器１４の出力側において、２つの変調波信号における差周波、変調帯域幅の周波数及び偶高調波に起因して発生する歪み成分の低減に寄与する適正インピーダンスを得るための制御情報が、搬送周波数ｆ１，ｆ２及び変調帯域幅ｗ１，ｗ２の組み合わせ別に記憶されているので、複数の制御情報の中から、信号情報が示す搬送周波数ｆ１，ｆ２及び変調帯域幅ｗ１，ｗ２の組み合わせに対応する制御情報を取得する。以下、高出力増幅器１４の出力側に接続されているインピーダンス調整回路１５を制御するための制御情報を制御情報（２）と称する。
高出力増幅器１４の入力側と出力側では、適正インピーダンスが異なるため、制御情報決定部１８は、インピーダンス調整回路１３を制御するための制御情報（１）と、インピーダンス調整回路１５を制御するための制御情報（２）とを別々に取得する。
【００２８】
この実施の形態１では、２つの変調波信号における差周波に起因して発生する歪み成分と、変調帯域幅の周波数に起因して発生する歪み成分と、偶高調波に起因して発生する歪み成分との全てを低減するため、制御情報（１）及び制御情報（２）は、差周波に対するインピーダンスを適正インピーダンスにするための制御情報ａと、変調帯域幅の周波数に対するインピーダンスを適正インピーダンスにするための制御情報ｂと、偶高調波に対するインピーダンスを適正インピーダンスにするための制御情報ｃとを含んでいる。
即ち、複数の制御情報の中から、差周波に対するインピーダンスを適正インピーダンスにするための制御情報ａと、変調帯域幅の周波数に対するインピーダンスを適正インピーダンスにするための制御情報ｂと、偶高調波に対するインピーダンスを適正インピーダンスにするための制御情報ｃとを取得して、制御情報（１）及び制御情報（２）のそれぞれが、制御情報ａ、制御情報ｂ及び制御情報ｃを含んでいる必要がある。
例えば、２つの変調波信号における差周波、変調帯域幅の周波数及び偶高調波のうち、偶高調波に起因して発生する歪み成分だけを低減すれば足りるような場合には、制御情報（１）及び制御情報（２）は、偶高調波に対するインピーダンスを適正インピーダンスにするための制御情報ｃだけを含んでいればよい。
【００２９】
制御情報決定部１８は、信号情報が示す搬送周波数ｆ１，ｆ２及び変調帯域幅ｗ１，ｗ２の組み合わせに対応する制御情報（１）（２）を取得すると、その制御情報（１）にしたがってインピーダンス調整回路１３を制御するとともに、その制御情報（２）にしたがってインピーダンス調整回路１５を制御する（ステップＳＴ４）。
これにより、インピーダンス調整回路１３によって、２つの変調波信号における差周波、変調帯域幅の周波数及び偶高調波に対するインピーダンスが適正インピーダンスと一致するように調整される（ステップＳＴ５）。
また、インピーダンス調整回路１５によって、２つの変調波信号における差周波、変調帯域幅の周波数及び偶高調波に対するインピーダンスが適正インピーダンスと一致するように調整される（ステップＳＴ５）。
【００３０】
ここでは、インピーダンス調整回路１３，１５による調整は、高出力増幅器１４を構成しているトランジスタから見た差周波、変調帯域幅の周波数及び偶高調波に対するインピーダンスの全てが適正インピーダンスと一致するように調整されるものを想定しているが、その差周波、変調帯域幅の周波数及び偶高調波に対するインピーダンスの中のいずれか１つだけが適正インピーダンスと一致するように調整される場合でも、程度の差があっても、歪みが低減する効果が得られる。
【００３１】
信号生成部１の信号出力部４は、インピーダンス調整回路１３，１５によるインピーダンスの調整が完了すると、信号発生部２から発生された２つの変調波信号を増幅器モジュール１０に出力する（ステップＳＴ６）。
増幅器モジュール１０の歪み補償回路１１は、信号生成部１から２つの変調波信号を受けると、２つの変調波信号がドライバ増幅器１２、インピーダンス調整回路１３、高出力増幅器１４及びインピーダンス調整回路１５を通過する際に発生する歪みを打ち消す予歪みを発生することで、通過する際に発生する２つの変調波信号の歪みを補償する（ステップＳＴ７）。
これにより、主にドライバ増幅器１２及び高出力増幅器１４から発生する奇数次の項の歪みが補償される。
【００３２】
ドライバ増幅器１２は、歪み補償回路１１から歪み補償後の変調波信号を受けると、高出力増幅器１４が動作するレベルまで、それらの変調波信号を増幅し、増幅後の変調波信号をインピーダンス調整回路１３の出力する（ステップＳＴ８）。
インピーダンス調整回路１３では、上述したように、適正インピーダンスに調整されているので、２つの変調波信号は、インピーダンス調整回路１３を通過することで、差周波、変調帯域幅の周波数及び偶高調波に起因して発生する歪み成分（基本波成分、３次歪み成分、５次歪み成分、・・・、（２Ｎ＋１）次歪み成分）が低減される（ステップＳＴ９）。
【００３３】
高出力増幅器１４は、インピーダンス調整回路１３を通過してきた２つの変調波信号を増幅し、増幅後の変調波信号をインピーダンス調整回路１５の出力する（ステップＳＴ１０）。
インピーダンス調整回路１５では、上述したように、適正インピーダンスに調整されているので、２つの変調波信号は、インピーダンス調整回路１５を通過することで、差周波、変調帯域幅の周波数及び偶高調波に起因して発生する歪み成分（基本波成分、３次歪み成分、５次歪み成分、・・・、（２Ｎ＋１）次歪み成分）が低減される（ステップＳＴ１１）。
これにより、増幅器モジュール１０から歪みが小さい２つの変調波信号が出力される。
【００３４】
ここで、図４はインピーダンス調整回路１３，１５の有無による歪み特性の違いを示す説明図である。
図４から明らかなように、インピーダンス調整回路１３，１５がある場合、インピーダンス調整回路１３，１５がない場合と比べて、歪み特性が大きく改善されていることが分かる。
なお、離調周波数や増幅器のインピーダンス等で改善度合いは変わるが、インピーダンス調整回路１３，１５があることで、改善の方向に推移する。
【００３５】
以上で明らかなように、この実施の形態１によれば、制御回路１６が、信号情報出力部３から出力された信号情報が示す複数の変調波信号の搬送周波数及び変調帯域幅にしたがって、複数の変調波信号における差周波、変調帯域幅の周波数及び偶高調波に対するインピーダンスを制御するように構成したので、複数の変調波信号における差周波、変調帯域幅の周波数や偶高調波に起因する歪み成分の発生を抑えることができる効果を奏する。
【００３６】
この実施の形態１では、高出力増幅器１４の入力側及び出力側の双方に、インピーダンス調整回路１３，１５を配置している例を示したが、高出力増幅器１４の入力側又は出力側のいずれか一方だけにインピーダンス調整回路を配置するようにしてもよい。この場合でも、程度の差があっても、歪みを低減する効果が得られる。
【００３７】
図１の増幅器モジュール１０には実装されていないが、インピーダンス調整回路１５から出力された複数の変調波信号の歪みを検出する歪み検出回路を実装し、制御回路１６が、その歪み検出回路により検出された歪みが低減するように、歪み補償回路１１、ドライバ増幅器１２又は高出力増幅器１４を制御するようにしてもよい。
なお、歪み検出回路の代わりに、制御回路１６が、信号生成部１の信号出力部４から出力された複数の変調波信号と、インピーダンス調整回路１５から出力された複数の変調波信号とを比較することで、歪みを検出するようにしてもよい。
【００３８】
この実施の形態１では、信号生成部１が２つの変調波信号を増幅器モジュール１０に出力して、増幅器モジュール１０が２つの変調波信号を増幅する例を示したが、信号生成部１の信号発生部２が、中心周波数が異なる３つ以上の変調波信号を増幅器モジュール１０に出力して、増幅器モジュール１０が３つ以上の変調波信号を増幅する場合であっても同様に適用することができる。
【００３９】
この実施の形態１では、制御回路１６のメモリ１７が、信号情報が示す搬送周波数ｆ１，ｆ２及び変調帯域幅ｗ１，ｗ２の組み合わせに対応する制御情報を格納しているものを示したが、搬送周波数ｆ１，ｆ２及び変調帯域幅ｗ１，ｗ２から、２つの変調波信号における差周波、変調帯域幅の周波数及び偶高調波を特定することができるので、制御回路１６のメモリ１７が、その差周波、変調帯域幅の周波数及び偶高調波に対応する制御情報（制御情報ａ、制御情報ｂ、制御情報ｃ）を格納するようにしてもよい。
【００４０】
また、この実施の形態１では、制御回路１６の制御情報決定部１８が、メモリ１７から取得した制御情報にしたがってインピーダンス調整回路１３，１５を制御するものを示したが、メモリ１７に制御情報ではなく、差周波、変調帯域幅の周波数及び偶高調波に対する適正インピーダンスが格納されているような場合には、メモリ１７から適正インピーダンスを取得し、インピーダンス調整回路１３，１５から差周波、変調帯域幅の周波数及び偶高調波に対するインピーダンスをフィードバックしながら、そのインピーダンスが、その適正インピーダンスと一致するように制御してもよい。
【００４１】
実施の形態２．
図５はこの発明の実施の形態２による増幅器モジュールを実装している信号送信機を示す構成図であり、図において、図１と同一符号は同一または相当部分を示すので説明を省略する。
上記実施の形態１では、歪み補償回路１１が増幅器モジュール１０に実装されている例を示したが、図５に示すように、歪み補償回路１１が信号生成部１に実装されていてもよい。上記実施の形態１では、アナログプリディストーションの例を示したが、この実施の形態２では、ディジタルプリディストーションの例を説明する。
歪み補償回路１１が実装されている部分が異なるだけで、上記実施の形態１と同様に動作し、上記実施の形態１と同様の効果が得られる。
【００４２】
実施の形態３．
図６はこの発明の実施の形態３による増幅器モジュールを実装している信号送信機を示す構成図であり、図において、図１と同一符号は同一または相当部分を示すので説明を省略する。
この実施の形態３では、信号生成部１が信号情報出力部３及び信号出力部４を実装しておらず、信号発生部２が複数の変調波信号を発生すると、直ちに、複数の変調波信号を増幅器モジュール１０に出力する。
増幅器モジュール１０の信号情報検出回路２０は信号生成部１から出力された複数の変調波信号の搬送周波数ｆ及び変調帯域幅ｗを検出し、その検出結果を制御回路１６に出力する回路である。
【００４３】
上記実施の形態１では、信号生成部１の信号情報出力部３が、信号発生部２から発生される複数の変調波信号の信号数ｎ、複数の変調波信号の搬送周波数ｆ及び変調帯域幅ｗを示す信号情報を増幅器モジュール１０に出力するものを示したが、複数の変調波信号の搬送周波数ｆ及び変調帯域幅ｗを検出する信号情報検出回路２０を増幅器モジュール１０に実装することで、信号情報出力部３及び信号出力部４を実装しないようにしてもよい。
増幅器モジュール１０における信号情報検出回路２０以外の構成要素の処理内容は上記実施の形態１と同様であり、上記実施の形態１と同様の効果が得られる。
【００４４】
実施の形態４．
図７はこの発明の実施の形態４による増幅器モジュールを実装している信号送信機を示す構成図であり、図において、図６と同一符号は同一または相当部分を示すので説明を省略する。
歪み検出回路３０はインピーダンス調整回路１５から出力された複数の信号の歪みを検出する回路である。
【００４５】
制御回路３１は図６の制御回路１６と同様に、メモリ１７及び制御情報決定部１８から構成されており、信号情報検出回路２０の検出結果（あるいは、信号情報出力部３から出力された信号情報）から、差周波、変調帯域幅の周波数及び偶高調波に起因して発生する歪み成分の低減に寄与する適正インピーダンスを特定し、複数の変調波信号における差周波、変調帯域幅の周波数及び偶高調波に対するインピーダンスが、特定した各々の適正インピーダンスと一致するようにインピーダンス調整回路１３，１５を制御する。
ただし、制御回路３１は図６の制御回路１６と異なり、インピーダンス調整回路１３，１５を制御する際、歪み検出回路３０により検出された歪みが低減するように、インピーダンス調整回路１３，１５を制御する機能を有している。
【００４６】
即ち、制御回路３１の制御情報決定部１８は、上記実施の形態１と同様の方法で、適正インピーダンスを得るための制御情報を取得し、その制御情報にしたがってインピーダンス調整回路１３，１５を制御する。
その後、制御情報決定部１８は、歪み検出回路３０により検出された歪みが低減するように制御情報を微調整して、微調整後の制御情報にしたがってインピーダンス調整回路１３，１５を制御する。
これにより、上記実施の形態１〜３よりも、更に歪みを低減することができる。
【００４７】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４８】
１  信号生成部（信号生成手段）、２  信号発生部、３  信号情報出力部、４  信号出力部、１０  増幅器モジュール、１１  歪み補償回路、１２  ドライバ増幅器、１３  インピーダンス調整回路（第１のインピーダンス調整回路、インピーダンス制御手段）、１４  高出力増幅器、１５  インピーダンス調整回路（第２のインピーダンス調整回路、インピーダンス制御手段）、１６  制御回路、１７  メモリ、１８  制御情報決定部（インピーダンス制御手段）、２０  信号情報検出回路、３０  歪み検出回路、３１  制御回路。
【図１】
2014204229.tif 000003
【図２】
2014204229.tif 000004
【図３】
2014204229.tif 000005
【図４】
2014204229.tif 000006
【図５】
2014204229.tif 000007
【図６】
2014204229.tif 000008
【図７】
2014204229.tif 000009
【図８】
2014204229.tif 000010
【図９】
2014204229.tif 000011